(57)【特許請求の範囲】
【請求項１】
シートを載置するシート載置手段と、該シート載置手段の上方に配置されたシート給送手段とを有し、該シート給送手段により給送されたシートの先端をシート分離面に突き当てることでシートを分離給送するシート給送装置において、
前記シート載置手段は、
シート給送方向後半部が略水平面で、且つ、シート給送方向前半部が水平面に対してシート進行方向上方に一定の角度で傾斜した傾斜面を有するシート載置部と、
前記シート載置部に載置されたシートが前記シート給送手段により給送され、該シートの先端が当接してシートを一枚ずつ分離するための水平面に対して略鉛直に立ち上がったシート分離面と、
前記シート載置部に載置されたシートの後端に当接して該シートの後端位置を規制する水平面に対して略鉛直に立ち上がった後端規制部材と、
を有し、
前記シート給送手段は揺動自在に設けられ、前記傾斜面に対応する位置において前記シート載置部に載置されているシートに当接して送り出すことを特徴とするシート給送装置。
【請求項２】
画像形成装置本体に着脱可能なシートカセットと、該シートカセットの上方に配置されたシート給送手段とを有し、該シート給送手段により給送されたシートの先端をシート分離面に突き当てることでシートを分離給送するシート給送装置において、
前記シートカセットは、
シート給送方向後半部が略水平面で、且つ、シート給送方向前半部が水平面に対してシート進行方向上方に一定の角度で傾斜した傾斜面を有するシート載置部と、
前記シート載置部に載置されたシートが前記シート給送手段により給送され、該シートの先端が当接してシートを一枚ずつ分離するための水平面に対して略鉛直に立ち上がったシート分離面と、
前記シート載置部に載置されたシートの後端に当接して該シートの後端位置を規制する水平面に対して略鉛直に立ち上がった後端規制部材と、
を有し、
前記シート給送手段は揺動自在に設けられ、前記シートカセットが前記画像形成装置本体に装着された状態で、前記傾斜面に対応する位置において前記シート載置部に載置されているシートに当接して送り出すことを特徴とするシート給送装置。
【請求項３】
画像形成装置本体に着脱可能なシートカセットと、該シートカセットの上方に配置されたシート給送手段とを有し、該シート給送手段により給送されたシートの先端をシート分離面に突き当てることでシートを分離給送するシート給送装置において、
前記シートカセットは、
略水平面を形成するシート給送方向後半部と、略水平面と同一面を形成する水平位置と水平面に対してシート進行方向上方に一定の角度で傾斜した傾斜位置とに移動可能なシート給送方向前半部とを有するシート載置部と、
前記シート載置部に載置されたシートが前記シート給送手段により給送され、該シートの先端が当接してシートを一枚ずつ分離するための水平面に対して略鉛直に立ち上がったシート分離面と、
前記シート載置部に載置されたシートの後端に当接して該シートの後端位置を規制する水平面に対して略鉛直に立ち上がった後端規制部材と、
を有し、
前記シート載置部のシート給送方向前半部は前記シートカセットが画像形成装置本体から取り出された時に水平位置となり、前記シートカセットが画像形成装置本体に装着された時に移動して前記傾斜位置に維持され、
前記シート給送手段は揺動自在に設けられ、前記シートカセットが前記画像形成装置本体に装着された状態で、前記シート載置部のシート給送方向前半部に対応する位置において前記シート載置部に載置されているシートに当接して送り出すことを特徴とするシート給送装置。
【請求項４】
画像形成装置本体に着脱可能なシートカセットと、該シートカセットの上方に配置されたシート給送手段とを有し、該シート給送手段により給送されたシートの先端をシート分離面に突き当てることでシートを分離給送するシート給送装置において、
前記シートカセットは、
略水平面を形成し、上下に昇降可能なシート給送方向後半部と、該シート給送方向後半部に連動し、該シート給送方向後半部が上昇位置の時、略水平面と同一面を形成する水平位置となり、該シート給送方向後半部が下降位置の時、水平面に対してシート進行方向上方に傾斜した傾斜位置に遷移するシート給送方向前半部とを有するシート載置部と、
前記シート載置部に載置されたシートが前記シート給送手段により給送され、該シートの先端が当接してシートを分離するための水平面に対して略鉛直に立ち上がったシート分離面と、前記シート載置部に載置されたシートの後端に当接して該シートの後端位置を規制する水平面に対して略鉛直に立ち上がった後端規制部材と、
を有し、
前記シート載置部は前記シートカセットが画像形成装置本体から取り出された時に前記シート給送方向後半部が上昇位置で、且つ前記シート給送方向前半部が水平位置となり、前記シートカセットが画像形成装置本体に装着された時に前記シート給送方向後半部が下降位置で、且つ前記シート給送方向前半部が傾斜位置に遷移することを特徴とするシート給送装置。
【請求項５】
前記シート給送手段は、回動軸を中心に揺動するアーム部材と、該アーム部材の先端側に回転可能に保持された給送回転体とを有することを特徴とする請求項１〜４のいずれか１項に記載のシート給送装置。
【請求項６】
請求項１〜５のいずれか１項に記載のシート給送装置と、シートに画像を形成する画像形成手段とを有することを特徴とする画像形成装置。
【発明の詳細な説明】
【０００１】
【発明の属する技術分野】
本発明は、複写機、プリンタ、ファクシミリ等の画像形成装置においてシート載置手段上に積載されたシート束からシートを１枚ずつ画像形成装置本体内部に分離給送するシート給送装置に関するものである。
【０００２】
【従来の技術】
図５及び図６に示すように、従来の画像形成装置においては、シートカセット101 に積載して収容されたシートＳ束からシートＳを１枚ずつ分離して画像形成装置本体内部に送り出すためにシート面に加圧された給送ローラ102 が回転することによって給送されたシートＳをシート給送方向に対して所定の角度を持った斜面からなるシート分離面103 に突き当てることでシートＳの先端にシート給送方向と逆向きの抵抗を与えて分離給送するものがある。
【０００３】
このような分離手段を用いたシート給送装置が安定した給送性能を発揮するためにはシートカセット１０１  内に積載されたシートＳ束先端がシート分離面１０３  に沿うように積載される必要があり、そのためにシートＳ束の後端を規制する後端規制部材１０４  がシート分離面１０３  と平行に傾斜して配置されているのが一般である。
【０００４】
【発明が解決しようとする課題】
しかしながら、前述の従来例では、後端規制部材１０４  がシートカセット１０１  のシート載置面に対して鋭角に配置され、シートＳ束の上部に向かって覆い被さっているためシートカセット１０１  にシートＳを補給する際に後端規制部材１０４  の鋭角側にシートＳの後端を潜り込ませるようにしてセットする必要があるためシートＳの補給作業性が悪いという問題があった。
【０００５】
本発明は前記課題を解決するものであり、その目的とするところは、シート分離面にシートの先端を突き当てて分離給送するシート給送装置であってもシートの補給時にシートの後端を後端規制部材の鋭角側に潜り込ませる必要がなく真上から容易にセット出来るシート給送装置及びこれを備えた画像形成装置を提供せんとするものである。
【０００６】
【課題を解決するための手段】
前記目的を達成するための本発明に係るシート給送装置は、シートを載置するシート載置手段と、該シート載置手段の上方に配置されたシート給送手段とを有し、該シート給送手段により給送されたシートの先端をシート分離面に突き当てることでシートを分離給送するシート給送装置において、前記シート載置手段は、シート給送方向後半部が略水平面で、且つ、シート給送方向前半部が水平面に対してシート進行方向上方に一定の角度で傾斜した傾斜面を有するシート載置部と、前記シート載置部に載置されたシートが前記シート給送手段により給送され、該シートの先端が当接してシートを一枚ずつ分離するための水平面に対して略鉛直に立ち上がったシート分離面と、前記シート載置部に載置されたシートの後端に当接して該シートの後端位置を規制する水平面に対して略鉛直に立ち上がった後端規制部材と、を有し、前記シート給送手段は揺動自在に設けられ、前記傾斜面に対応する位置において前記シート載置部に載置されているシートに当接して送り出すことを特徴とする。
【０００７】
上記構成によれば、シート分離面とシート載置部のシート給送方向前半部との傾斜角度を維持した状態でシート分離面及び後端規制部材が水平面に対して略鉛直に立ち上がっているため、シート分離面にシートの先端を突き当てて分離給送するシート給送装置であってもシートの補給時にシートをシート載置手段の真上から容易にセット出来る。
【０００８】
また、本発明に係るシート給送装置の他の構成は、画像形成装置本体に着脱可能なシートカセットと、該シートカセットの上方に配置されたシート給送手段とを有し、該シート給送手段により給送されたシートの先端をシート分離面に突き当てることでシートを分離給送するシート給送装置において、前記シートカセットは、シート給送方向後半部が略水平面で、且つ、シート給送方向前半部が水平面に対してシート進行方向上方に一定の角度で傾斜した傾斜面を有するシート載置部と、前記シート載置部に載置されたシートが前記シート給送手段により給送され、該シートの先端が当接してシートを一枚ずつ分離するための水平面に対して略鉛直に立ち上がったシート分離面と、前記シート載置部に載置されたシートの後端に当接して該シートの後端位置を規制する水平面に対して略鉛直に立ち上がった後端規制部材と、を有し、前記シート給送手段は揺動自在に設けられ、前記シートカセットが前記画像形成装置本体に装着された状態で、前記傾斜面に対応する位置において前記シート載置部に載置されているシートに当接して送り出すことを特徴とする。
【０００９】
上記構成によれば、シート分離面とシート載置部のシート給送方向前半部との傾斜角度を維持した状態でシート分離面及び後端規制部材が水平面に対して略鉛直に立ち上がっているため、シート分離面にシートの先端を突き当てて分離給送するシート給送装置であってもシートの補給時にシートをシートカセットの真上から容易にセット出来る。
【００１０】
また、本発明に係るシート給送装置の他の構成は、画像形成装置本体に着脱可能なシートカセットと、該シートカセットの上方に配置されたシート給送手段とを有し、該シート給送手段により給送されたシートの先端をシート分離面に突き当てることでシートを分離給送するシート給送装置において、前記シートカセットは、略水平面を形成するシート給送方向後半部と、略水平面と同一面を形成する水平位置と水平面に対してシート進行方向上方に一定の角度で傾斜した傾斜位置とに移動可能なシート給送方向前半部とを有するシート載置部と、前記シート載置部に載置されたシートが前記シート給送手段により給送され、該シートの先端が当接してシートを一枚ずつ分離するための水平面に対して略鉛直に立ち上がったシート分離面と、前記シート載置部に載置されたシートの後端に当接して該シートの後端位置を規制する水平面に対して略鉛直に立ち上がった後端規制部材と、を有し、前記シート載置部のシート給送方向前半部は前記シートカセットが画像形成装置本体から取り出された時に水平位置となり、前記シートカセットが画像形成装置本体に装着された時に移動して前記傾斜位置に維持され、前記シート給送手段は揺動自在に設けられ、前記シートカセットが前記画像形成装置本体に装着された状態で、前記シート載置部のシート給送方向前半部に対応する位置において前記シート載置部に載置されているシートに当接して送り出すことを特徴とする。
【００１１】
上記構成によれば、シート分離面とシート載置部のシート給送方向前半部との傾斜角度を維持した状態でシート分離面及び後端規制部材が水平面に対して略鉛直に立ち上がっており、更にシートカセットが画像形成装置本体から取り出されたシート補給時にシート載置部のシート給送方向前半部が水平位置となることで、シート分離面にシートの先端を突き当てて分離給送するシート給送装置であってもシートの補給時にシートカセットの真上からシート束を水平状態のままシート載置部上に置くだけの作業で容易にセット出来る。
【００１２】
また、本発明に係るシート給送装置の他の構成は、画像形成装置本体に着脱可能なシートカセットと、該シートカセットの上方に配置されたシート給送手段とを有し、該シート給送手段により給送されたシートの先端をシート分離面に突き当てることでシートを分離給送するシート給送装置において、前記シートカセットは、略水平面を形成し、上下に昇降可能なシート給送方向後半部と、該シート給送方向後半部に連動し、該シート給送方向後半部が上昇位置の時、略水平面と同一面を形成する水平位置となり、該シート給送方向後半部が下降位置の時、水平面に対してシート進行方向上方に傾斜した傾斜位置に遷移するシート給送方向前半部とを有するシート載置部と、前記シート載置部に載置されたシートが前記シート給送手段により給送され、該シートの先端が当接してシートを分離するための水平面に対して略鉛直に立ち上がったシート分離面と、前記シート載置部に載置されたシートの後端に当接して該シートの後端位置を規制する水平面に対して略鉛直に立ち上がった後端規制部材とを有し、前記シート載置部は前記シートカセットが画像形成装置本体から取り出された時に前記シート給送方向後半部が上昇位置で、且つ前記シート給送方向前半部が水平位置となり、前記シートカセットが画像形成装置本体に装着された時に前記シート給送方向後半部が下降位置で、且つ前記シート給送方向前半部が傾斜位置に遷移することを特徴とする。
【００１３】
上記構成によれば、シート分離面とシート載置部のシート給送方向前半部との傾斜角度を維持した状態でシート分離面及び後端規制部材が水平面に対して略鉛直に立ち上がっており、更にシートカセットが画像形成装置本体から取り出されたシート補給時にシート載置部のシート給送方向後半部が上昇位置で、且つシート給送方向前半部が水平位置となることで、シート分離面にシートの先端を突き当てて分離給送するシート給送装置であってもシートの補給時にシートカセットの真上からシート束を水平状態のままシート載置部上に置くだけの作業で容易にセット出来、特にシート載置部がシートカセットの上方に持ち上げられることでトレイが浅くなるためシートの補給作業が容易である。
【００１６】
【発明の実施の形態】
図により本発明に係るシート給送装置及びこれを備えた画像形成装置の一例としてレーザビームプリンタに適用した場合の一実施形態を具体的に説明する。図１は本発明に係るシート給送装置を備えた画像形成装置の構成を示す断面説明図、図２は本発明に係るシート給送装置の第１実施形態の構成を示す断面説明図である。
【００１７】
図１において、画像形成装置の下部に配置され、該画像形成装置本体に対して着脱可能なシート載置手段となるシートカセット１には紙や合成樹脂等からなる複数枚のシートＳが積載されており、シートＳの給送時に図１の時計回り方向に回転するシート給送手段であって給送回転体となる給送ローラ２によって繰り出されたシートＳは、その先端がシート給送方向（シート進行方向）に対してθの角度を持ったシート分離面３に突き当たり、給送方向と反対方向の抵抗を受けることでシートＳ束の先端が捌かれて分離され画像形成装置本体内部に一枚ずつ送り出される。
【００１８】
給送ローラ２は回動軸４ａを中心に揺動するアーム部材４の先端側に回転可能に保持されており、シートＳの積載量に応じた位置に着地するように構成されている。
【００１９】
給送ローラ２により送り出されたシートＳは搬送ローラ対５，６によって画像形成手段となる電子写真感光体ドラム７と転写ローラ８との間のトナー画像転写部へと送られる。
【００２０】
一方、感光体ドラム７は図１の反時計回り方向に回転しており、帯電器９によって一様に帯電された後、画像信号に基づいてレーザスキャナ１０から発射された選択的なレーザ光によって露光されて静電潜像が形成される。
【００２１】
この静電潜像は現像器１１によってトナー画像が顕像化され、感光体ドラム７上に形成されたトナー画像は転写ローラ８によって電気的に引きつけられることによってトナー画像転写部を通過するシートＳの印字面（上面）に順次転写されて画像が形成される。
【００２２】
トナー画像が形成されたシートＳは定着装置１２の加熱手段１３とこれに圧接する加圧ローラ１４とのニップ部へ導かれ、シートＳが該ニップ部を通過する過程でシートＳの印字面に転写されたトナー画像は加熱及び加圧されてシートＳの印字面に定着される。
【００２３】
定着装置１２を通過したシートＳはシートガイド部材１５及び分離ガイド１６によっってフェイスアップ排出ローラ対１７に導かれ、更にフェイスダウン排出ローラ対１８へ送られて該フェイスダウン排出ローラ対１８によって排出トレイ１９上に排出される。
【００２４】
次に図２を用いて本発明に係るシート給送装置の第１実施形態の構成について詳細に説明する。図２において、シートカセット１のシート載置部２０上に積載されたシートＳ束の先端が当接して該シートＳ束を分離するためのシート分離面３及びシート載置部２０上に積載されたシートＳ束の後端に当接して該シートＳ束の後端位置を規制する後端規制部材２１は水平面に対して略鉛直に立ち上がった壁面を有して構成されている。
【００２５】
また、シート載置部２０は略水平面を有するシート給送方向後半部２０ｂと、該シート給送方向後半部２０ｂに接続され、シートＳを分離するのに適切なシート分離面３との角度θを維持しつつ該シート分離面３が水平面に対して略鉛直に立ち上がった壁面であるという条件を満たすような水平面に対してシート進行方向上方に角度α（α＝９０°−θ）だけ傾斜した傾斜面を有するシート給送方向前半部２０ａとを有して構成されている。
【００２６】
シート給送方向前半部２０ａとシート分離面３とのなす角度θを維持することでシート分離性能を維持しつつ画像形成装置本体からシートカセット１を取り出してシートＳを補給する際にシート分離面３及び後端規制部材２１が水平面に対して略鉛直方向に立ち上がっていることでシートＳをシートカセット１の真上から挿入することが出来、シートＳのセットを容易にすることが出来る。
【００２７】
次に図３を用いて本発明に係るシート給送装置の第２実施形態について説明する。図３（ａ）は本発明に係るシート給送装置の第２実施形態においてシートカセットを画像形成装置本体から取り出した状態を示す断面説明図、図３（ｂ）は第２実施形態においてシートカセットを画像形成装置本体に装着した状態を示す断面説明図である。尚、前記第１実施形態と同様に構成したものは同一の符号を付して説明を省略する。
【００２８】
本実施形態では、前記第１実施形態と同様にシート分離面３及び後端規制部材２１は水平面に対して略鉛直に立ち上がった壁面を有し、シート載置部２０のシート給送方向後半部２０ｂは略水平面を形成している。
【００２９】
また、シート給送方向後半部２０ｂに連結されたシート給送方向前半部２０ａはシートＳを分離するのに適切なシート分離面３との角度θを維持しつつ該シート分離面３が水平面に対して略鉛直に立ち上がった条件を満たすような角度α（α＝９０°−θ）で傾斜する傾斜位置（図３（ｂ）参照）とシート給送方向後半部２０ｂと同一平面を形成する水平位置（図３（ａ）参照）とに移動可能に構成されている。
【００３０】
シート給送方向前半部２０ａはシート給送方向後半部２０ｂのシート進行方向先端部に設けられた回動軸２０ｃを中心に回動可能に設けられており、図３（ａ）に示すように、画像形成装置本体からシートカセット１が取り出された状態ではシート給送方向前半部２０ａは自重により水平位置へ下がっている。
【００３１】
また、図３（ｂ）に示すように、シートカセット１を画像形成装置本体へ装着すると、シートカセット１本体に設けられた回動軸２２ａを中心に回動自在に保持されたリフター２２のシートカセット１の側面側に飛び出した入力部２２ｂが画像形成装置本体側に設けられた突起部２３と係合してリフター２２が回動し、該リフター２２の出力部２２ｃがシート給送方向前半部２０ａの先端下面に当接係合して該シート給送方向前半部２０ａを回動軸２０ｃを中心に図３（ｂ）に示す傾斜位置に押し上げる。
【００３２】
画像形成装置本体にシートカセット１を装着している時にシート給送方向前半部２０ａとシート分離面３とのなす角度θが維持されることでシート分離性能を維持しつつ画像形成装置本体からシートカセット１を取り出してシートＳを補給する際、シート分離面３及び後端規制部材２１が水平面に対して略鉛直方向に立ち上がっていることでシートＳをシートカセット１の真上から挿入することが出来、且つシート載置部２０が略水平面となることでシートＳ束を水平状態のままセットすることが出来、シートＳのセットを容易にすることが出来る。
【００３３】
他の構成は前記第１実施形態と同様に構成され、同様の効果を得ることが出来るものである。
【００３４】
次に図４を用いて本発明に係るシート給送装置の第３実施形態について説明する。図４（ａ）は本発明に係るシート給送装置の第３実施形態においてシートカセットを画像形成装置本体から取り出した状態を示す断面説明図、図４（ｂ）は第３実施形態においてシートカセットを画像形成装置本体に装着した状態を示す断面説明図である。尚、前記各実施形態と同様に構成したものは同一の符号を付して説明を省略する。
【００３５】
本実施形態でも前記実施形態と同様にシート分離面３及び後端規制部材２１は水平面に対して略鉛直に立ち上がった壁面を有しており、本実施形態では特にシート載置部２０のシート給送方向前半部２０ａはシート進行方向先端部がシートカセット１本体に設けられた回動軸２０ｄを中心に回動自在で、更にシート給送方向後半部２０ｂのシート進行方向先端部に設けられた回動軸２０ｅを中心に回動自在に連結されている。
【００３６】
また、シート給送方向後半部２０ｂは該シート給送方向後半部２０ｂのシート給送方向両側でシートカセット１本体に設けられた回動軸３１ａ，３２ａを中心に回動自在に設けられた一対のカム３１，３２がシート給送方向後半部２０ｂのシート給送方向両側に設けられた鍔部２０ｆに当接係合することにより略水平状態で昇降するようになっている。
【００３７】
また、カム３１，３２は連結部材３３により連結されて連動するように構成されており、シートカセット１のシート進行方向後端部に配置されたカム３２に設けられた突起部３２ｂが画像形成装置本体に設けられたガイド部３４にガイドされてカム３２がガイド部３４に沿って立ち上がり、連結部材３３を介してカム３１が連動して立ち上がる。
【００３８】
そして、シート給送方向後半部２０ｂの両側の鍔部２０ｆに一対のカム３１，３２が当接係合してシート給送方向後半部２０ｂが図４（ａ）に示すように水平状態で上昇し、シート給送方向後半部２０ｂに回動軸２０ｅを介して連動するシート給送方向前半部２０ａが回動軸２０ｄを中心に回動して略水平面と同一面を形成する水平位置に移動する。
【００３９】
即ち、シート給送方向後半部２０ｂが下降位置の時、シート載置部２０のシート給送方向前半部２０ａはシートＳを分離するのに適切なシート分離面３との角度θを維持しつつ該シート分離面３が水平面に対して略鉛直方向に形成される条件を満たすような角度α（α＝９０°−θ）で傾斜する傾斜位置（図４（ｂ）参照）となり、前記シート給送方向後半部２０ｂが上昇位置の時、シート給送方向前半部２０ａは該シート給送方向後半部２０ｂと同一平面を形成する水平位置（図４（ａ）参照）となるように構成されている。
【００４０】
図４（ａ）に示すように、画像形成装置本体からシートカセット１を取り出すと、前述したように画像形成装置本体に設けられたガイド部３４がカム３２の突起部３２ｂを持ち上げ、該カム３２が上昇位置に持ち上げられると共に連結部材３３によって連結されたカム３１も上昇位置へ持ち上げられる。
【００４１】
カム３１，３２はシート給送方向後半部２０ｂの鍔部２０ｆと当接係合しており、これによりシート給送方向後半部２０ｂは上昇位置へ押し上げられると共にシート給送方向前半部２０ａは水平位置となる。
【００４２】
一方、図４（ｂ）に示すように、画像形成装置本体にシートカセット１を装着すると、ガイド部３４がカム３２の突起部３２ｂを押し下げ、該カム３２が下降位置に押し下げられると共に連結部材３３によって連結されたカム３１も下降位置へ押し下げられることでシート給送方向後半部２０ｂは下降位置へ押し下げられると共にシート給送方向前半部２０ａは傾斜位置に遷移する。
【００４３】
画像形成装置本体にシートカセット１を装着している時に、シート給送方向前半部２０ａとシート分離面３とのなす角度θが維持されることでシート分離性能を維持しつつ画像形成装置本体からシートカセット１を取り出してシートＳを補給する際、シート分離面３及び後端規制部材２１が略鉛直方向に立ち上がっていることでシートＳをシートカセット１の真上から挿入することが出来、シート載置部２０が上昇することで浅いトレイ上にシートＳをセットすることが出来、シートＳのセット作業を容易にすることが出来る。
【００４４】
他の構成は前記各実施形態と同様に構成され、同様の効果を得ることが出来るものである。
【００５４】
尚、前記各実施形態では画像形成装置本体に着脱されるシートカセット１に適用した場合の一例を示したが、シートデッキ等の他のシート載置手段に適用することも可能である。
【００５５】
【発明の効果】
本発明は、上述の如き構成と作用とを有するので、請求項１、２に記載した構成によれば、シート分離面とシート給送方向前半部との角度を維持したままシート分離面と後端規制部材とを水平面に対して略鉛直方向に配置することで、シートの分離性能を維持しつつシート束をシート載置手段（シートカセット）の真上から積載することが出来、シートのセット作業を容易にすることが出来る。
【００５６】
また、請求項３に記載した構成によれば、シート分離面とシート給送方向前半部との角度を維持したままシート分離面と後端規制部材とを水平面に対して略鉛直方向に配置することで、シートの分離性能を維持しつつシート束をシートカセットの真上から積載することが出来、シートセット時のシート載置部の形状が略水平面となることでシートのセット作業を更に容易にすることが出来る。
【００５７】
また、請求項４に記載した構成によれば、シート分離面とシート給送方向前半部との角度を維持したままシート分離面と後端規制部材とを水平面に対して略鉛直方向に配置することで、シートの分離性能を維持しつつシート束をシートカセットの真上から積載することが出来、シートセット時のシート載置部の形状が略水平面となり、更に該シート載置部が上昇してトレイが浅くなることでシートのセット作業を更に容易にすることが出来る。
【図面の簡単な説明】
【図１】本発明に係るシート給送装置を備えた画像形成装置の構成を示す断面説明図である。
【図２】本発明に係るシート給送装置の第１実施形態の構成を示す断面説明図である。
【図３】（ａ）は本発明に係るシート給送装置の第２実施形態においてシートカセットを画像形成装置本体から取り出した状態を示す断面説明図、（ｂ）は第２実施形態においてシートカセットを画像形成装置本体に装着した状態を示す断面説明図である。
【図４】（ａ）は本発明に係るシート給送装置の第３実施形態においてシートカセットを画像形成装置本体から取り出した状態を示す断面説明図、（ｂ）は第３実施形態においてシートカセットを画像形成装置本体に装着した状態を示す断面説明図である。
【図５】従来例を説明する図である。
【図６】従来例を説明する図である。
【符号の説明】
１…シートカセット、２…給送ローラ、３…シート分離面、４…アーム部材、４ａ…回動軸、５，６…搬送ローラ対、７…感光体ドラム、８…転写ローラ、９…帯電器、10…レーザスキャナ、11…現像器、12…定着装置、13…加熱手段、14…加圧ローラ、15…シートガイド部材、16…分離ガイド、17…フェイスアップ排出ローラ対、18…フェイスダウン排出ローラ対、19…排出トレイ、20…シート載置部、20ａ…シート給送方向前半部、20ｂ…シート給送方向後半部、20ｃ…回動軸、20ｄ…回動軸、20ｅ…回動軸、20ｆ…鍔部、21…後端規制部材、21ａ…回動軸、22…リフター、22ａ…回動軸、22ｂ…入力部、22ｃ…出力部、23…突起部、31，32…カム、31ａ，32ａ…回動軸、32ｂ…突起部、33…連結部材、34…ガイド部、Ｓ…シート
【図１】
0003619034.tif 000002
【図２】
0003619034.tif 000003
【図３】
0003619034.tif 000004
【図４】
0003619034.tif 000005
【図５】
0003619034.tif 000006
【図６】
0003619034.tif 000007